(57)【特許請求の範囲】
【請求項１】
電機子回転軸に固定され回転駆動するファンと、前記ファンを覆うと共に中央部に前記ファンの吸込口へ気流を誘導する吸気口を有するファンケースと、前記吸込口端部と接触シールする環状円盤形のシール材と、樹脂などで成型され前記シール材を内蔵すると共に前記ファンケースに配設されるシール材支持体を備えた電動送風機において、前記吸気口は軸方向反ファン側に略垂直に立ち上がった円筒部を有し、前記シール材支持体は、前記吸込口へ風を誘導するように前記ファン側に向かうベルマウス状垂下部と、前記ファン側に面すると共に前記電機子回転軸に対し略直角で前記シール材が貼り付けられるリング状平面部と、前記円筒部が挿入される溝部を有し、前記溝部の溝底面は、前記リング状平面部より前記反ファン側に位置し、前記溝部の外周側内面が前記円筒部の外周面に、前記溝部の内周側外面が前記円筒部の内周面とそれぞれ接触すると共に、前記円筒部の円筒部先端面が前記溝底面に略当接し位置決め固定されることを特徴とする電動送風機。
【請求項２】
円筒部先端面から少なくとも１ケ以上の軸方向反ファン側に突出した突出リブを設けると共に、シール材支持体には前記突出リブが挿入される挿入孔を設け、前記挿入孔に前記突出リブを挿入した状態で前記挿入孔より飛び出した前記突出リブの先端を外周方向へ折り曲げることによりファンケースと前記シール材支持体を位置決め固定することを特徴とする請求項１に記載の電動送風機。
【請求項３】
円筒部先端面から少なくとも１ケ以上の突出した突出リブを設けると共に、シール材支持体には前記突出リブが挿入される挿入孔を設け、前記突出リブの中央にスリットを、外周側に突起部をそれぞれ設け、前記突起部の突起間幅は前記挿入孔の幅よりも大きく、前記円筒部先端面を溝底面まで挿入した時に前記突起部が前記挿入孔より外側へ突出しファンケースと前記シール材支持体を位置決め固定することを特徴とする請求項１に記載の電動送風機。
【請求項４】
シール材支持体は、ベルマウス状垂下部と反ファン側外周面からなるエッジ部に、半径１ｍｍ以上の大きな円弧Ｒで滑らかに構成したＲ部を備え、かつ挿入孔を前記Ｒ部より外周側に位置させることを特徴とする請求項２または３に記載の電動送風機。
【請求項５】
挿入孔を他部よりもファン側へ凹んだ窪みに設け、突出リブがシール材支持体の反ファン側外周面より突出しないことを特徴とする請求項２〜４のいずれか１項に記載の電動送風機。
【請求項６】
ファンケースの円筒部にねじ切りを付加し、シール材支持体の溝部に前記ねじ切りに対応するねじ切りを付加し、前記シール材支持体を前記円筒部にねじ込むことにより前記ファンケースと前記シール材支持体の固定を行うことを特徴とする請求項１に記載の電動送風機。
【請求項７】
シール材はベルマウス状垂下部の外側内面に当接し、且つ、円筒部の内周面にも当接することを特徴とする請求項１〜６のいずれか１項に記載の電動送風機。
【請求項８】
シール材とベルマウス状垂下部の外周面との接着、前記シール材と円筒部の内周面との接着、前記円筒部と溝部の内周側外面との接着を同一の接着剤にて同時に行うことを特徴とする請求項１〜５または７のいずれか１項に記載の電動送風機。
【請求項９】
請求項１〜８のいずれか１項に記載の電動送風機を搭載する電気掃除機。
【発明の詳細な説明】
【技術分野】
【０００１】
本発明は、電動送風機及びそれを備えた電気掃除機に関するものである。
【背景技術】
【０００２】
従来の電気掃除機用の電動送風機は、ファンとファンケースとの間に隙間が形成されているため、ファンの吸込口からファン内部を通りファン吐出口から吐出された気流の一部がファンとファンケースとの間の隙間を通って吸気口へと逆流する循環流が生じるため、送風効率が低下する欠点があった。
【０００３】
この循環流を防止するために、ファンケースの吸気口のファン側内部にゲル状のシール材を充填し、シール材にファンを当接させるようにしたものが提案されている（例えば、特許文献１参照）。また、シート状のシール材を環状に打ち抜いたシール材を支持体を介してファンケース内部に配設するようにしたものも提案されている（例えば、特許文献２参照）。
【先行技術文献】
【特許文献】
【０００４】
【特許文献１】特開平９−２３６０９８号公報
【特許文献２】特開２０１１−２４７０９８号公報
【発明の概要】
【発明が解決しようとする課題】
【０００５】
しかしながら、上記特許文献１に記載された従来の電動送風機の前記ゲル状のシール材を配設する構成では、シール材の量が安定せず、ファンとの接触度合いがばらつき、性能低下やモータロックを招くという課題があった。
【０００６】
また、上記特許文献２に記載された従来の電動送風機の環状のシール材を配設する構成では、シール材打ち抜き端面がエッジとなるため、送風効率を改善するためにＲが付加されたファンケース吸気孔内部に固定するためには、Ｒ部の影響を受けない位置へシール材を軸方向ファン側へシフトするシール材支持体を介して取り付ける必要があり、ファンケース吸気口内部と言う限られた空間では、形状自由度が大きく制約を受け、所期の特性が得られないという課題があった。
【０００７】
また、シール材支持体がファンケース内部に位置するため、シール材支持体とファンケースとの固着が低下した場合、ファンの吸引力によりシール材支持体がファン内部へ吸い込まれ、ファンの破壊やモータロックを引き起こす危険性があった。
【０００８】
本発明は、上記従来の課題を解決するもので、ファンとファンケースとの隙間を流れる循環流を安全に且つ精度良く安定的に防止できる電動送風機、及び、それを搭載する信頼性の高い電気掃除機を提供することを目的とする。
【課題を解決するための手段】
【０００９】
前記従来の課題を解決するために、本発明の電動送風機は、電機子回転軸に固定され回転駆動するファンと、前記ファンを覆うと共に中央部に前記ファンの吸込口へ気流を誘導する吸気口を有するファンケースと、前記吸込口端部と接触シールする環状円盤形のシール材と、樹脂などで成型され前記シール材を内蔵すると共に前記ファンケースに配設されるシール材支持体を備えた電動送風機において、前記吸気口は軸方向反ファン側に略垂直
に立ち上がった円筒部を有し、前記シール材支持体は、前記吸込口へ風を誘導するように前記ファン側に向かうベルマウス状垂下部と、前記ファン側に面すると共に前記電機子回転軸に対し略直角で前記シール材が貼り付けられるリング状平面部と、前記円筒部が挿入される溝部を有し、前記溝部の溝底面は、前記リング状平面部より前記反ファン側に位置し、前記溝部の外周側内面が前記円筒部の外周面に、前記溝部の内周側外面が前記円筒部の内周面とそれぞれ接触すると共に、前記円筒部の円筒部先端面が前記溝底面に略当接し位置決め固定されるもので、シール材支持体は環状の溝部と環状のファンケースの吸気口の環状部により円周面で位置決めがなされ、回転軸に対し略直角な平面を確保した状態でファンケースに固定され、シール材とファンの吸込口の端部との片接触を防止し、ファンとファンケースとの隙間を流れる循環風を防止できる。
【００１０】
また、本発明の電気掃除機は、請求項１〜８のいずれか１項に記載の電動送風機を搭載したもので、吸引性能に優れた電気掃除機を提供することができる。
【発明の効果】
【００１１】
本発明の電動送風機は、ファンケースの吸気口に反ファン側に突出して設けた円筒部に溝付きシール材支持体をファンケースの外部から挿入取り付けると言う簡単な方法でファンとファンケースとの隙間を流れる循環流を精度よく確実に防止するだけでなく、シール材支持体をシール材の接触状態を確認した後に固定することが可能であり、シール材支持体の交換も容易となり、安価で安全な高性能の電動送風機を提供することができる。また、その電動送風機を搭載することで信頼性の向上した電気掃除機を提供することができる。
【図面の簡単な説明】
【００１２】
【図１】本発明の実施の形態１における電動送風機の断面斜視図
【図２】同電動送風機の一部拡大断面斜視図
【図３】同電動送風機のシール材支持体の半断面斜視図
【図４】同電動送風機のファンケースの斜視図
【図５】本発明の実施の形態２における電動送風機のシール材支持体の半断面斜視図
【図６】同電動送風機のファンケースの斜視図
【図７】同ファンケースにシール材支持体を装着した状態での斜視図
【図８】同シール材支持体の部分拡大図
【図９】本発明の実施の形態３における電動送風機のシール材支持体の半断面斜視図
【図１０】同電動送風機のファンケースの要部拡大斜視図
【図１１】同シール材支持体をファンケースに取り付け前の状態を示す斜視図
【図１２】同シール材支持体をファンケースに取り付けた状態を示す斜視図
【図１３】本発明の実施の形態４における電動送風機のシール材支持体の半断面斜視図
【図１４】同電動送風機のファンケースの斜視図
【図１５】シール材支持体とファンケースの組み立て状態を示す断面斜視図
【図１６】同シール材支持体の他の構成例を示す送風機部の断面斜視図
【図１７】他の構成のシール材支持体の断面斜視図
【発明を実施するための形態】
【００１３】
第１の発明は、電機子回転軸に固定され回転駆動するファンと、前記ファンを覆うと共に中央部に前記ファンの吸込口へ気流を誘導する吸気口を有するファンケースと、前記吸込口端部と接触シールする環状円盤形のシール材と、樹脂などで成型され前記シール材を内蔵すると共に前記ファンケースに配設されるシール材支持体を備えた電動送風機において、前記吸気口は軸方向反ファン側に略垂直に立ち上がった円筒部を有し、前記シール材支持体は、前記吸込口へ風を誘導するように前記ファン側に向かうベルマウス状垂下部と
、前記ファン側に面すると共に前記電機子回転軸に対し略直角で前記シール材が貼り付けられるリング状平面部と、前記円筒部が挿入される溝部を有し、前記溝部の溝底面は、前記リング状平面部より前記反ファン側に位置し、前記溝部の外周側内面が前記円筒部の外周面に、前記溝部の内周側外面が前記円筒部の内周面とそれぞれ接触すると共に、前記円筒部の円筒部先端面が前記溝底面に略当接し位置決め固定されるもので、シール材支持体は環状の溝部と環状のファンケースの吸気口の環状部により円周面で位置決めがなされ、回転軸に対し略直角な平面を確保した状態でファンケースに固定され、シール材とファンの吸込口の端部との片接触を防止し、ファンとファンケースとの隙間を流れる循環風を防止できる。
【００１４】
第２の発明は、特に第１の発明の円筒部先端面から少なくとも１ケ以上の軸方向反ファン側に突出した突出リブを設けると共に、シール材支持体には前記突出リブが挿入される挿入孔を設け、前記挿入孔に前記突出リブを挿入した状態で前記挿入孔より飛び出した前記突出リブの先端を外周方向へ折り曲げることによりファンケースと前記シール材支持体を位置決め固定するもので、熱膨張や振動などによりファンケースとシール材支持体の嵌合が緩くなっても、ファンケースとシール材支持体が外れることがなくより安全に固定が実現できる。
【００１５】
第３の発明は、特に、第１の発明の円筒部先端面から少なくとも１ケ以上の突出した突出リブを設けると共に、シール材支持体には前記突出リブが挿入される挿入孔を設け、前記突出リブの中央にスリットを、外周側に突起部をそれぞれ設け、前記突起部の突起間幅は前記挿入孔の幅よりも大きく、前記円筒部先端面を溝底面まで挿入した時に前記突起部が前記挿入孔より外側へ突出しファンケースと前記シール材支持体を位置決め固定するもので、シール材支持体をファンケースに挿入するだけで、突起部が掛かり止めとなり、ファンケースとシール材支持体の固定が簡単に行うことができ、また、突出リブを挿入孔に挿入したあと曲げる必要がないので、組み立て工程が簡略される。
【００１６】
第４の発明は、特に、第２または第３の発明のシール材支持体は、ベルマウス状垂下部と反ファン側外周面からなるエッジ部に、半径１ｍｍ以上の大きな円弧Ｒで滑らかに構成したＲ部を備え、かつ挿入孔を前記Ｒ部より外周側に位置させるもので、最も流速が早く吸気性能に影響を与えるＲ部に窪みや突起が存在せず気流を乱すことがないため、性能低下や騒音増加を防止することができる。
【００１７】
第５の発明は、特に、第２〜４のいずれか一つの発明の挿入孔を他部よりもファン側へ凹んだ窪みに設け、突出リブがシール材支持体の反ファン側外周面より突出しないようにしたもので、突出リブにより気流が乱されるのを防止できるので、性能低下や騒音増加を防止することができる。
【００１８】
第６の発明は、特に、第１の発明のファンケースの円筒部にねじ切りを付加し、シール材支持体の溝部に前記ねじ切りに対応するねじ切りを付加し、前記シール材支持体を前記円筒部にねじ込むことにより前記ファンケースと前記シール材支持体の固定を行うもので、シール材支持体の取り外しが容易であり、シール状態の確認や交換が最も容易であり、より安定したシール状態を実現できる。
【００１９】
第７の発明は、特に、第１〜６のいずれか一つの発明のシール材はベルマウス状垂下部の外側内面に当接し、且つ、円筒部の内周面にも当接するもので、ファンケースとシール材支持体を確実にシールすることが可能となり、性能低下や騒音増加を防止することができる。
【００２０】
第８の発明は、特に、第１〜５及び７のいずれか一つの発明のシール材とベルマウス状
垂下部の外周面との接着、前記シール材と円筒部の内周面との接着、前記円筒部と溝部の内周側外面との接着を同一の接着剤にて同時に行うもので、シール材支持体のシール材取付け部に多目の接着剤を塗布するだけで、シール材を押し付けた場合に接触面からはみ出る接着剤がそれぞれに流れ込むことになり、全ての接着固定が実現でき、安価で確実な固定が実現できる。
【００２１】
第９の発明に係る電気掃除機は、請求項１〜８のいずれか１項に記載の電動送風機を搭載したもので、吸引性能に優れた電気掃除機を提供することができる。
【００２２】
以下、本発明の実施の形態について、図面を参照しながら説明する。尚、この実施の形態によって本発明が限定されるものではない。
【００２３】
（実施の形態１）
図１は、本発明の実施の形態１における電動送風機の断面斜視図、図２は、同電動送風機の一部拡大断面斜視図、図３は、同電動送風機のシール材支持体の半断面斜視図、図４は、同電動送風機のファンケースの斜視図である。
【００２４】
図１〜４において、本実施の形態における電動送風機は、図１〜４に示されるように電動機部４０と送風機部４１から構成されている。
【００２５】
電動機部４０は、一端側を開口した有底筒状のブラケット７と、ブラケット７の開口側を閉塞するフレーム８によりケーシング４０ａを構成している。ケーシング４０ａは固定子である界磁１を内蔵し、中央には回転子である電機子２を、軸受４により回転可能に収納している。電機子２は、電機子巻線（図示せず）に接続された整流子５を有し、ブラケット７に固定されたブラシユニット９を介して界磁巻線（図示せず）と電機子巻線を接続し通電することにより回転力を得ている。
【００２６】
送風機部４１は、主にファン１１、エアガイド１０、ファンケース１６から構成され、中央部に吸込口１２を有する前面シュラウド１３とそれに対抗する後面シュラウド１４とそれらの間に固定される複数のブレード１５とから構成されるファン１１がフレーム８から突出した電機子回転軸３にナット６などで取り付けられている。フレーム８に取り付けられたエアガイド１０は、ファン１１から排出された気流を整流し電動機部４０へ流しこむ役割を担っている。ファンケース１６は、ファン１１とエアガイド１０を覆いフレーム８に圧入固定されている。ファンケース１６の中央部には、吸気口１７があり、ファン１１の吸込口１２へ気流を導く役目を担っている。
【００２７】
図２〜４に示されるように、本実施の形態における電動送風機のファンケース１６は、吸気口１７の端部が軸方向反ファン側に立ち上がる円筒部１８を有している。この円筒部１８は従来のファン側へ１８０度曲げられたベルマウス形状に比べ、加工が容易でプレス工程が削減できるだけでなく、割れや皹の発生も低減でき生産性を改善できる。また、別部材のシール材支持体２６がファンケース１６の外面側から取り付け構成されている。またシール材支持体２６は、ベルマウス状垂下部２７の内径面と反ファン側外周面とを大きなＲで滑らかに形成したＲ部２９を備えている。
【００２８】
シール材支持体２６のファン側にはＥＶＡなどの円盤環状のシール材２５が取り付けられるリング状平面部２８が存在し、リング状平面部２８よりも反ファン側に底面部を有する溝部３０が構成されている。この溝部３０に円筒部１８を挿入し、円筒部先端面１９が溝底面３１に当接することにより位置が確定し固定されている。
【００２９】
本構成により、溝底面３１と円筒部先端面１９が円周面で位置決めされるため、電機子
回転軸３に対し直角な平面を実現でき、シール材２５と吸込口１２との片接触を防止できる。
【００３０】
また、溝部３０の外周側内面３３が円筒部１８の外周面２１と、溝部３０の内周側外面３２が円筒部１８の内周面２０と略接触することにより、溝底面３１を含めて３面で接触することとなり、より確実な固定が実現でき、一部隙間が存在した場合でもラビリンス効果によりファンケース１６内部と外部とのリーク風を防止できる。
【００３１】
また、シール材支持体２６がファンケース１６の外周側に位置することから、吸気圧などによりシール材支持体２６がファン１１側に荷重を受けてもファンケース１６から外れることがなく、シール材支持体２６の吸い込みによるファン破壊やモータロックなどの異常発生を確実に防止できる。
【００３２】
以上のように構成された電動送風機によれば、溝部３０の深さとファンケース１６の円筒部１８の長さとシール材２５の厚みのいずれかを調整することにより、吸込口１２の端部とシール材２５が軽接触する最も効率が良い構成とすることが容易で、ファン１１から排出された気流がファン１１とファンケース１６の間を通り、吸込口１２へ循環するリ−ク風を制精度良く安全に防止でき、送風効率を改善することが出来る。
【００３３】
また、本実施の形態では、シール材２５は、ベルマウス状垂下部２７の外側面に当接し、且つ、円筒部１８の内周面２０にも当接するようにしている。この構成により、シール材２５の内径とベルマウス状垂下部２７の内径を近づけることになり、この寸法差での気流の乱れを小さくすることが可能である。
【００３４】
（実施の形態２）
図５は、本発明の実施の形態２における電動送風機のシール材支持体の半断面斜視図、図６は、同電動送風機のファンケースの斜視図、図７は、同ファンケースにシール材支持体を装着した状態での斜視図、図８は、同シール材支持体の部分拡大図である。なお上記実施の形態１における電動送風機と同一部分については、同一符号を用いてその説明を省略する。
【００３５】
本実施の形態における電動送風機は、図５、図６に示されるように、円筒部先端面１９は、少なくとも１ケ以上の突出リブ２２を有しており、シール材支持体２６には、突出リブ２２に対応する挿入孔３４を設けたものである。
【００３６】
そして、図７、図８に示されるように突出リブ２２を挿入孔３４に挿入した後にその突出リブ２２を外周側に折り曲げることにより、ファンケース１６とシール材支持体２６の固定をより確実に行うものである。
【００３７】
本実施の形態における電動送風機によれば、熱膨張や振動などによりファンケース１６とシール材支持体２６の嵌合が緩くなっても、ファンケース１６とシール材支持体２６が外れることがなくより安全に固定が実現できる。また、ファンケース１６とシール材支持体２６の嵌合代を緩く設定しても外れることがないため、嵌合を緩めて作業性を向上させることができる。
【００３８】
尚、円筒部１８と溝部３０は、内外周面で接触した底面部での孔であり、突出リブ２２の先端部を外周側へ折り曲げることにより、微小な隙間はラビリンス効果により流出する気流は微量であり問題となる程の漏れ気流は発生しない。
【００３９】
（実施の形態３）
図９は、本発明の実施の形態３における電動送風機のシール材支持体の半断面斜視図、図１０は、同電動送風機のファンケースの要部拡大斜視図、図１１は、同シール材支持体をファンケースに取り付け前の状態を示す斜視図、図１２は、同シール材支持体をファンケースに取り付けた状態を示す斜視図である。なお上記実施の形態における電動送風機と同一部分については、同一符号を用いてその説明を省略する。
【００４０】
本実施の形態における電動送風機は、図９、図１０に示されるように、上記実施の形態２で述べた突出リブ２２の中央にスリット２３を、両端部に突起部２４をそれぞれ設け、挿入孔３４には、突起部２４の幅と同等幅のスリット３６を設けたものである。尚、スリット３６は窪み３５と一体に形成されても構わない。
【００４１】
挿入孔３４の幅は突出リブ２２の幅と略同一で、突起部２４の先端の突部間の幅を、挿入孔３４の幅よりも大きく、スリット３６の幅は、突起部２４間の幅と略同等に設定されている。
【００４２】
本実施の形態における電動送風機は以上のように構成されているので、図１１、図１２に示されるように、シール材支持体２６をファンケース１６に挿入すると、突起部２４間が弾性により挿入孔３４の幅分だけ狭くなり、挿入孔３４を通過しスリット３６部に達したところで、弾性により元の寸法に戻り、突起部２４が掛かり止めとなり、ファンケース１６とシール材支持体２６を固定するものである。
【００４３】
本実施の形態では、突出リブ２２を挿入孔３４に挿入したあと曲げを行う必要がないので、挿入という１工程だけで安価にファンケース１６とシール材支持体２６を固定できる。
【００４４】
また、ベルマウス状垂下部２７の内径面と反ファン側外周面とをＲ１以上の大きなＲで滑らかにＲ部２９を形成すると共に、挿入孔３４に挿入された突起部２４がＲ部２９よりも外周側に位置させることにより、最も流速が早く吸気性能に影響を与えるＲ部２９に窪みや突起が存在せず気流を乱すことがないため、性能低下や騒音増加を防止することができる。
【００４５】
また、挿入孔３４を他部よりもファン１１側へ凹んだ窪み３５に設けるなどして、シール材支持体２６の外面よりも突起部２４が突出しないように寸法設定すれば、突起部２４による気流の乱れを防止して、性能低下や騒音増加を防止できる。この時、突出リブ２２の先端部がシール材支持体２６の表面と略同一面を形成することが望ましい。
【００４６】
なお、シール材２５の外径と円筒部１８の内周面２０を接触させることにより、ファンケース１６とシール材支持体２６をシールすることが可能となり、シール材支持体２６に設けた挿入孔３４と突起部２４との隙間が大きくてもシール性を維持できるため、それぞれの寸法公差を広げることが可能となり製造コスト低減を実現できる。また、シール材２５の内外径部を同時に規制することにより前記シール性が高まるだけでなく、シール材２５の軸ずれも防止できよりシール性を高めることができる。
【００４７】
また、上記実施の形態における電動送風機において、シール材２５とベルマウス状垂下部２７の外周面、シール材２５と円筒部１８の内周面２０、円筒部１８と溝部３０の内周側外面３２の接着を同一の接着剤（図示せず）にて同時に行うようにすれば、リング状平面部２８（図３参照）に多目の接着剤を塗布するだけで、シール材２５を押し付けた場合に接触面からはみ出る接着剤がそれぞれに流れ込むことになり、全ての接着固定が実現でき、安価で確実な固定が実現できる。
【００４８】
（実施の形態４）
図１３は、本発明の実施の形態４における電動送風機のシール材支持体の半断面斜視図、図１４は同電動送風機のファンケースの斜視図、図１５は、同シール材支持体とファンケースの組み立て状態を示す断面斜視図である。なお上記実施の形態における電動送風機と同一部分については、同一符号を用いてその説明を省略する。
【００４９】
本実施の形態における電動送風機は、図１３〜１５に示すように、ファンケース１６の円筒部１８にねじ切りを付加し、シール材支持体２６の溝部３０の外周側内面３３にはそれに対応するねじ切りを付加し、シール材支持体２６を円筒部１８にねじ込むことによりファンケース１６とシール材支持体２６の固定を行うようにしたものである。本実施の形態によれば、シール材支持体２６の取り外しが容易であり、シール状態の確認や交換が最も容易であり、より安定したシール状態を実現できる。
【００５０】
また、図１６〜１７に示されるように、シール材支持体２６の外周側をファン１１の外径近傍まで延長し整流板を兼ねる形状とすることで、吸気口１７へ流入する気流をより滑らかに誘導することが可能でより送風効率の向上が実現できる。
【００５１】
また、ファンケース１６を覆うように樹脂板が存在するため、防音対策も実現できる。この場合、シール材支持体２６とファンケース１６の間に防音材（図示せず）を配置したり、シール材支持体２６の整流板部３７に誘導フィン（図示せず）を付加するなどを行うとより効果を高めることが可能である。
【００５２】
また、特に図示しないが、上記実施の形態における電動送風機を電気掃除機に搭載すれば、安価で安全で高性能な電気掃除機を実現できる。
【産業上の利用可能性】
【００５３】
以上のように、本発明にかかる電動送風機は、ファンケースの吸気口に外側からシール材支持体を取り付けると言う簡単な方法で、精度良くファンケースとファンとのリーク風を防止でき、且つ、シール材支持体が吸い込まれると言う危険性がなく安全に高性能な電動送風機を提供することができ、その電動送風機を搭載することで高性能な電気掃除機が実現できるもので、家庭用、業務用に限らず各種電気掃除機に適用できる。
【符号の説明】
【００５４】
１  界磁
２  電機子
３  電機子回転軸
４  軸受
５  整流子
６  ナット
７  ブラケット
８  フレーム
９  ブラシユニット
１０  エアガイド
１１  ファン
１２  吸込口
１３  前面シュラウド
１４  後面シュラウド
１５  ブレード
１６  ファンケース
１７  吸気口
１８  円筒部
１９  円筒部先端面
２０  内周面
２１  外周面
２２  突出リブ
２３，３６  スリット
２４  突起部
２５  シール材
２６  シール材支持体
２７  ベルマウス状垂下部
２８  リング状平面部
２９  Ｒ部
３０  溝部
３１  溝底面
３２  内周側外面
３３  外周側内面
３４  挿入孔
３５  窪み
３７  整流板部
【図１】
0006450928.tif 000002
【図２】
0006450928.tif 000003
【図３】
0006450928.tif 000004
【図４】
0006450928.tif 000005
【図５】
0006450928.tif 000006
【図６】
0006450928.tif 000007
【図７】
0006450928.tif 000008
【図８】
0006450928.tif 000009
【図９】
0006450928.tif 000010
【図１０】
0006450928.tif 000011
【図１１】
0006450928.tif 000012
【図１２】
0006450928.tif 000013
【図１３】
0006450928.tif 000014
【図１４】
0006450928.tif 000015
【図１５】
0006450928.tif 000016
【図１６】
0006450928.tif 000017
【図１７】
0006450928.tif 000018